(57)【要約】【課題】地震などの被災後に人力式ポンプを用いて逆浸透膜浄水器に注水する際に、水の水圧を所定注水圧以上に上昇させることなく且つ必要以上に低くさせることなく適切な水圧で注水して確実に良好な浄水を得ることのできる緊急時浄水器作動装置を提供する。【解決手段】緊急時浄水器作動装置６は、原水水槽４０と、原水水槽４０の貯水Ｗ１を汲み上げる人力式ポンプ４１と、人力式ポンプ４１と逆浸透膜浄水器１４の水入側とをつなぐ給水配管４５，４９，５６と、給水配管４９に配備された定圧弁１６と、給水配管４９の定圧弁１６の上流側に配備された圧力逃がし弁５８と、給水配管４９の圧力逃がし弁５８の上流側に配備されて人力式ポンプ４１からの水の水圧を蓄える蓄圧タンク５１と、を備えて構成されている。【選択図】図１
2019107629.tif 000002
【特許請求の範囲】
【請求項１】
原水水槽と、前記原水水槽の水を汲み上げる人力式ポンプと、前記人力式ポンプの吐出口と前記逆浸透膜浄水器の水入側配管とをつなぐ給水配管と、前記給水配管に配備された定圧弁と、前記給水配管における前記定圧弁の上流側に配備された圧力逃がし弁と、前記給水配管における前記圧力逃がし弁の上流側に配備されていて前記人力式ポンプから吐出された水の水圧を蓄える蓄圧タンクとを、備えて成ることを特徴とする緊急時浄水器作動装置。
【請求項２】
前記蓄圧タンクは、密閉容器と、前記密閉容器内に配備されて当該密閉容器内を空気室と水室とに隔離する弾性隔膜と、前記密閉容器に設けられていて前記水室と前記給水配管とを連通する水出入口と、を備えて成ることを特徴とする請求項１に記載の緊急時浄水器作動装置。
【請求項３】
既設の逆浸透膜浄水器の水入側配管の途中に設けられた常用貯水タンクと、当該常用貯水タンクに配備された大気開放弁と、前記常用貯水タンクに配備された水流出用開閉弁と、を備えて成ることを特徴とする請求項１または請求項２に記載の緊急時浄水器作動装置。
【請求項４】
前記常用貯水タンクの満水量が、前記逆浸透膜浄水器の利用者１人に付き２５Ｌ以上５０Ｌ以下で且つ利用者数に応じた水量に設定されていることを特徴とする請求項３に記載の緊急時浄水器作動装置。
【請求項５】
前記逆浸透膜浄水器の水入側配管における前記常用貯水タンクの上流側および下流側にそれぞれ配備されていて通電により開弁し切電により閉弁する電磁弁と、所定震度以上の地震を感知したときに前記常用貯水タンクの上流側および下流側の電磁弁を切電する感震センサと、を備えていることを特徴とする請求項３または請求項４に記載の緊急時浄水器作動装置。
【請求項６】
少なくとも、前記定圧弁と、前記圧力逃がし弁と、前記蓄圧タンクと、前記定圧弁、前記圧力逃がし弁および前記蓄圧タンクを収容するとともに前記常用貯水タンクの上面に設置可能な大きさに形成された第１収容箱と、を有して成る給水補助ユニットを備えていることを特徴とする請求項３から請求項５までのいずれか一項に記載の緊急時浄水器作動装置。
【請求項７】
少なくとも、前記逆浸透膜浄水器の逆浸透膜フィルタカートリッジと、前記逆浸透膜フィルタカートリッジからの１次処理水を一時的に貯留する前記逆浸透膜浄水器の処理水用貯留タンクと、前記蓄圧タンクと、前記逆浸透膜フィルタカートリッジ、前記処理水用貯留タンクおよび蓄圧タンクを収容するとともに前記常用貯水タンクの上面に設置可能な大きさに形成された第２収容箱と、を有して成る組合せユニットを備えていることを特徴とする請求項３から請求項５までのいずれか一項に記載の緊急時浄水器作動装置。
【請求項８】
請求項３から請求項７のいずれか一項に記載の緊急時浄水器作動装置における常用貯水タンクに、水道水を流通させて常に満水にしておくステップと、
地震発生により停電したときに前記常用貯水タンクの水を前記原水水槽へ移送するステップと、
前記原水水槽の水を人力式ポンプで前記給水配管に吐出させるステップと、
吐出された水の水圧を前記蓄圧タンクで蓄圧しながら前記定圧弁で所定注水圧に調整するステップと、
所定注水圧に調整された水を前記水入側配管から前記逆浸透膜浄水器に注入して浄水を得るステップと、を備えて成ることを特徴とする緊急時浄水製造方法。
【発明の詳細な説明】
【技術分野】
【０００１】
本発明は、大きな地震や停電などで作動停止した逆浸透膜浄水器を人力で作動させる緊急時浄水器作動装置、および当該装置を用いた浄水の製造方法に関するものである。
【背景技術】
【０００２】
一般に、非常時つまり被災時は電力が遮断されており、機械などの運転に必要な電源確保ができない状態にある。また、水道水も遮断されている。そこで、川、池、貯水池、防火水槽、貯水タンク、家庭用非常時貯水タンク、あるいはプールなどの水すなわち外部水を、生活用水や飲料水の水源として使用せざるを得なくなる。ところが、これらの外部水は細菌、ウィルス、カビ、農薬などに汚染されている場合が多い。それにも拘わらず、非常時にはそのような水を使用するしかないが、そのような場合は一般的な浄水方法（例えば活性炭ろ過法）で浄水した後に、殺菌、消毒、中和処理を施すより仕方がない。しかしながら、非常時において、殺菌剤、消毒剤、中和剤などの薬剤準備や管理は極めて困難である。しかも、わずかな量の原水しか得られない。
【０００３】
このような場合に、水の状態にあまり気を遣うことなく前記した薬剤を一切使用することなく安全な飲料水を得る方法として、逆浸透膜ろ過浄水法が知られている。この処理法を適用した逆浸透膜浄水装置は、電気駆動式の水加圧ポンプで原水を加圧して逆浸透膜フィルタに注入する必要がある。しかしながら、非常時には電源の確保が困難な場合が多いから、逆浸透膜浄水装置を活用することはほとんどできない。一方で、逆浸透膜フィルタへの水の注水圧には適正な所定注水圧があるが、この所定注水圧を超えた水を逆浸透膜フィルタに注入すると、フィルタ内の逆浸透膜の組織が破壊されるおそれがあるので、注水圧の管理をうまく行なわなければならず、そのような理由でこれまでは非常時用の逆浸透膜浄水装置が広く出回っていなかったのである。
【０００４】
一方で、逆浸透膜フィルタへの水注入に人力式ポンプを利用することが考えられる。このような人力式ポンプを用いた緊急時浄水器作動装置としては、下記の特許文献１に記載されている装置が知られている。この文献記載の緊急時浄水器作動装置は、原水水槽と、手押し式ポンプ（人力式ポンプ）と、手押し式ポンプの吐出口と逆浸透膜浄水器の水入口とをつなぐ給水配管とを備えていて、手押し式ポンプの上流側および下流側の給水配管にそれぞれ逆止弁が設けられているものである。この緊急時浄水器作動装置では、手押し式ポンプのハンドルを手で押し戻しすることにより、原水水槽の貯水を吐出し、２つの逆止弁で貯水の戻りを抑止しながら逆浸透膜浄水器に注水して浄水を得るようにしている。
【先行技術文献】
【特許文献】
【０００５】
【特許文献１】特開２０１５−３２８８号公報
【発明の概要】
【発明が解決しようとする課題】
【０００６】
ところが、上記した従来の緊急時浄水器作動装置では、機構の特性上、ハンドルを押すときと戻すときとで、水圧の脈動を生じざるを得ない。特にハンドルを戻した時に貯水の水圧が逆浸透膜浄水器への所定の注水圧を下回ることがあり、貯水の水圧が所定注水圧を境に上下する繰り返しになることがある。このように、貯水の水圧が所定注水圧を境に上下すると、逆浸透膜浄水器の浄化性能が低下して浄水収率が小さくなったり、フィルタ寿命が著しく短くなったりフィルタ破損につながったりするおそれがあるので、かかる現象は極力避けたいところである。また、人力式ポンプは利用者個々に差がある腕力や足力により駆動されるので、人によっては注水圧が逆浸透膜フィルタに適した所定注水圧を大きく超える場合もあり、その対策を考えておく必要がある。他方で、停電や大地震の後は電源が得られないので、水道水はもとより逆浸透膜浄水器からの浄水も得られず、比較的清浄な原水自体も調達できないという不具合が存在する。
【０００７】
本発明は、上記した従来の問題点に鑑みてなされたものであって、地震などの被災後に人力式ポンプを用いて逆浸透膜浄水器に注水する際に、水の水圧を所定注水圧以上に上昇させることなく且つ必要以上に低くさせることなく適切な水圧で注水して確実に良好な浄水を得ることのできる緊急時浄水器作動装置および緊急時浄水製造方法の提供を目的とする。
【課題を解決するための手段】
【０００８】
上記目的を達成するために、本発明に係る緊急時浄水器作動装置は、原水水槽と、原水水槽の水を汲み上げる人力式ポンプと、人力式ポンプの吐出口と逆浸透膜浄水器の水入側配管とをつなぐ給水配管と、給水配管に配備された定圧弁と、給水配管における定圧弁の上流側に配備された圧力逃がし弁と、給水配管における圧力逃がし弁の上流側に配備されていて前記人力式ポンプから吐出された水の水圧を蓄える蓄圧タンクとを、備えて成ることを特徴とする構成にしてある。
【０００９】
また、前記構成において、蓄圧タンクは、密閉容器と、密閉容器内に配備されて密閉容器内を空気室と水室とに隔離する弾性隔膜と、密閉容器に設けられていて水室と給水配管とを連通する水出入口と、を備えて成るものである。
【００１０】
そして、前記した各構成において、既設の逆浸透膜浄水器の水入側配管の途中に設けられた常用貯水タンクと、常用貯水タンクに配備された大気開放弁と、常用貯水タンクに配備された水流出用開閉弁と、を備えて成るものである。
【００１１】
更に、前記構成において、常用貯水タンクの満水量が、逆浸透膜浄水器の利用者１人に付き２５Ｌ以上５０Ｌ以下で且つ利用者数に応じた水量に設定されているものである。
【００１２】
また、前記した各構成において、逆浸透膜浄水器の水入側配管における常用貯水タンクの上流側および下流側にそれぞれ配備されていて通電により開弁し切電により閉弁する電磁弁と、所定震度以上の地震を感知したときに常用貯水タンクの上流側および下流側の電磁弁を切電する感震センサと、を備えているものである。
【００１３】
そして、前記した各構成において、少なくとも、定圧弁と、圧力逃がし弁と、蓄圧タンクと、定圧弁、圧力逃がし弁および蓄圧タンクを収容するとともに常用貯水タンクの上面に設置可能な大きさに形成された第１収容箱と、を有して成る給水補助ユニットを備えているものである。
【００１４】
更に、前記した各構成において、少なくとも、逆浸透膜浄水器の逆浸透膜フィルタカートリッジと、逆浸透膜フィルタカートリッジからの１次処理水を一時的に貯留する逆浸透膜浄水器の処理水用貯留タンクと、蓄圧タンクと、逆浸透膜フィルタカートリッジ、処理水用貯留タンクおよび蓄圧タンクを収容するとともに常用貯水タンクの上面に設置可能な大きさに形成された第２収容箱と、を有して成る組合せユニットを備えているものである。
【００１５】
また、本発明に係る緊急時浄水製造方法は、請求項３から請求項５のいずれか一項に記載の緊急時浄水器作動装置における常用貯水タンクに、水道水を流通させて常に満水にしておくステップと、地震発生により停電したときに常用貯水タンクの水を原水水槽へ移送するステップと、原水水槽の水を人力式ポンプで給水配管に吐出させるステップと、吐出された水の水圧を蓄圧タンクで蓄圧しながら定圧弁で所定注水圧に調整するステップと、所定注水圧に調整された水を水入側配管から逆浸透膜浄水器に注入して浄水を得るステップと、を備えて成るものである。
【発明の効果】
【００１６】
本発明に係る緊急時浄水器作動装置によれば、人力式ポンプから吐出された水の水圧を蓄える蓄圧タンク、圧力逃がし弁、および定圧弁を下流側に向かって順次配備したので、人力式ポンプから吐出された水の水圧がいくぶん高い場合は、その水圧が蓄圧タンクに一時的に蓄えられたのちに定圧弁で所定注水圧に調整される。一方で、その水圧が過度に高い場合は、圧力逃がし弁が開弁して水圧が下げられるので、逆浸透膜浄水器への注水圧をほぼ一定にすることができる。その結果、人力によっても適切な水圧で注水して逆浸透膜浄水器をうまく作動させ、良好な清浄度の浄水を確実に得ることができる。
【００１７】
また、蓄圧タンクが、密閉容器内を空気室と水室とに隔離する弾性隔膜を備えているものでは、空気室の空気および弾性隔膜の存在により水圧に対するクッション性が付与されるから、人力式ポンプにより加圧された水に衝撃をもたらすことなく弾性的に蓄圧することができ、定圧弁での降圧処理も円滑に行なって逆浸透膜浄水器での浄水処理を支障なく実施できる。
【００１８】
そして、水道水で常に満たされる常用貯水タンクと、常用貯水タンクに配備された大気開放弁および水流出用開閉弁とを備えて成るものでは、地震などで電源供給が停止されたときでも、常用貯水タンク内に多量の水道水を確保することができる。確保した水は、通常時は水道水が常に流入しタンク内を循環して入れ替わっているので清浄かつ新鮮であるから、救援措置が講じられるまでの４日間程度であれば全く問題を生じない。そうして、その水を水流出用開閉弁から取り出して、そのまま生活用水として用いたり、あるいは逆浸透膜浄水器で飲用浄水にしたりして使用することができる。
【００１９】
更に、常用貯水タンクの満水量が、逆浸透膜浄水器の利用者１人に付き２５Ｌ以上５０Ｌ以下で且つ利用者数に応じた水量に設定されているものでは、地震などで電源供給が停止された後でも、利用者のそれぞれが例えば４日分の浄水および生活用水を確保できる。従って、救援措置が始まるとされる災害後４日間までの生活をつつがなく維持することができる。因みに、ペットボトルの飲料水を１５０Ｌ分（４人分）ほど用意するのは、保管場所、購入費用、消費期限時の商品更新などの観点から極めて不具合であり現実的でない。
【００２０】
また、常用貯水タンクに、通電により開弁し切電により閉弁する水入側および水出側の電磁弁と、所定震度以上の地震を感知したときに両電磁弁を切電する感震センサとが配備されているものでは、大きな地震があったときに、常用貯水タンクの水入側と水出側の配管が閉止されるので、常用貯水タンク内にある水道水クラスの清浄度の水を大量に確保することができ、緊急時にはその水を生活用水や逆浸透膜浄水器の原水として有効に用いることができる。
【００２１】
そして、定圧弁、圧力逃がし弁および蓄圧タンクを収容する第１収容箱が、常用貯水タンクの上面に設置可能な大きさに形成された給水補助ユニットを備えているものでは、給水補助ユニットを常用貯水タンクの間近に保管することができる。従って、いざというときには給水補助ユニットを迅速に利用して浄水器作動システムの機能を発揮させることができる。また、給水補助ユニットの保管場所は常用貯水タンクの上面であるので、他に余計なスペースを取ることが無いから、この給水補助ユニットは特に家屋新築時に好適に採用され得る。
【００２２】
更に、逆浸透膜フィルタカートリッジ、処理水用貯留タンクおよび蓄圧タンクを収容する第２収容箱が、常用貯水タンクの上面に設置可能な大きさに形成された組合せユニットを備えているものでは、浄水システムの一部である浸透膜フィルタカートリッジおよび処理水用貯留タンクに加えて、浄水器作動システムの蓄圧タンクも備えているので、緊急時対策昨日を常備した浄水システムを有しているという効果を奏することができる。
【００２３】
また、本発明に係る緊急時浄水製造方法によれば、常用貯水タンク満水ステップと、原水水槽への水移送ステップと、人力式ポンプによる水吐出ステップと、所定注水圧への調整ステップと、逆浸透膜への水注入ステップとを備えているので、地震などで電源供給が停止されたときでも、常用貯水タンク内に多量の水道水を確保することができる。また、逆止弁、蓄圧タンクおよび定圧弁の相乗作用により、人力によっても逆浸透膜浄水器をうまく作動させることができ、一定の清浄度に保持した浄水を安定して製造できるのである。
【図面の簡単な説明】
【００２４】
【図１】本発明の一実施形態に係る緊急時浄水器作動装置を有する水道浄水システムを示す概略構成図である。
【図２】前記緊急時浄水器作動装置の浄水器作動システムに用いた給水補助ユニットを示す図であって、（ａ）は平面図、（ｂ）は一部断面を含む正面図、（ｃ）は側面図である。
【図３】前記浄水器作動システムの給水補助ユニットに用いた蓄圧タンクの一部断面を含む正面図である。
【図４】前記水道浄水システムの逆浸透膜浄水器の要部を示す部分正面図である。
【図５】前記水道浄水システムの動作および緊急時浄水器作動装置の操作手順を示す工程図である。
【図６】本発明の別の実施形態に係る緊急時浄水器作動装置用の組合せユニットを示す図であって、（ａ）は（ｂ）におけるＢ−Ｂ矢視に相当する一部断面を含む正面図、（ｂ）は（ａ）におけるＡ−Ａ矢視に相当する一部断面を含む平面図である。
【発明を実施するための形態】
【００２５】
以下、本発明の実施形態を図面に基づいて説明する。尚、以下に述べる実施形態は本発明を具体化した一例に過ぎず、本発明の技術的範囲を限定するものでない。ここに、図１は本発明の一実施形態に係る緊急時浄水器作動装置を有する水道浄水システムを示す概略構成図である。
図１において、この実施形態に係る水道浄水システムは、水道水の供給を行なう一般の水道給水システム２と、通常時に水道水Ｗから浄水Ｗ３を製造する汎用の浄水システム３と、緊急時対応用の緊急時浄水器作動装置１とから構成されている。
前記の水道給水システム２は、元弁８、水量計９および水切り弁１１などを有する上水道の水道配管７と、水道配管７の先端に取り付けられていて台所や浴室その他に配備された一般蛇口１０とから構成されており、水道配管７内を水道水Ｗが流通する。
【００２６】
前記した汎用の浄水システム３は、水道配管７の途中に分岐接続されていて開閉弁１３を有する水入り側配管１２，１２Ａと、水入り側配管１２Ａが水入側に接続された逆浸透膜浄水器１４（例えばアクアテクノロジー社製）と、１次処理水Ｗ２の備蓄および配管系内の水圧保持のための処理水用貯留タンク２６（例えば内容量７Ｌ）と、処理水用貯留タンク２６内の満水を検知して逆浸透膜浄水器１４への水の流入を停止させる送水給停ユニット２１と、逆止弁３０を有していて逆浸透膜浄水器１４の水出側に接続された浄水配管２８と、浄水配管２８からの浄水Ｗ３（２次処理水）を流出させる浄水コック３１と、逆止弁３２を有して逆浸透膜浄水器１４の水出側に接続され濃縮水Ｄを流出させる濃縮水配管２９と、から構成されている。尚、逆浸透膜浄水器１４の全フィルタを通過させるために水にかけられる圧力源は、元弁８からの水道水Ｗの水圧（例えば０．７ＭＰａ・Ｇ（＝７ｋｇ／平方ｃｍ・Ｇ））であり、この例では専用の水送りポンプを用いていない。尚、逆浸透膜浄水器１４に注入される水の水圧は、例えば０．２〜０．７ＭＰａ・Ｇが適切であるとされている。
【００２７】
そして、前記の緊急時浄水器作動装置１は、地震などの緊急時に作動停止した浄水システム３を人力で強制的に作動させる浄水器作動システム４と、利用者数に応じた量の水道水Ｗを貯水Ｗ１として一時的に貯留しておき浄水器作動システム４などでその貯水Ｗ１を使用させるための水道水貯水システム５と、常用貯水タンク７０からの貯水Ｗ１や外部水を収容する原水水槽４０、原水水槽４０内の水を汲み上げる人力式ポンプ４１、および、人力式ポンプ４１の吐出口４４に連結された給水配管４５から成る人力式ポンプシステム６と、から構成されている。
【００２８】
緊急時浄水器作動装置１の浄水器作動システム４は、既設の浄水システム３の水入側配管１２，１２Ａ間に取り付けられた三方弁５９と、接続口４８を介して給水配管４５とつながれる給水配管４９と、接続口５０を介して逆浸透膜浄水器１４の三方弁５９の水合流接続口５９Ａにつながれる給水配管５６と、給水配管４９に配備された設定水圧可変の定圧弁１６（例えばＣＫＤ社製のＷＲシリーズ）と、給水配管４９における定圧弁１６の上流側に分岐接続された払出し配管５７と、払出し配管５７に配備された圧力逃がし弁５８（例えばＩＢＳ社製のＲＬシリーズ）と、給水配管４９における払出し配管５７分岐位置の上流側に分岐接続された給水配管５３と、給水配管５３に接続された蓄圧タンク５１（例えば内容量１Ｌ）と、を備えて構成されている。尚、人力式ポンプ４１自体の吐出部には既存の逆止弁が配備されている場合が多いので、そのような場合には給水補助ユニット４６の逆止弁５４を省略しても構わない。
【００２９】
前記の払出し配管５７は貯水Ｗ１を原水水槽４０へ戻すためのものであり、この払出し配管５７に配備された圧力逃し弁５８は例えば０．７ＭＰａ・Ｇで開弁する。すなわち、この圧力逃し弁５８は、給水配管４９内の貯水Ｗ１の水圧が０．７ＭＰａ・Ｇ以上になると、自動的に開弁して水圧を逃がし、貯水Ｗ１の一部を払出し配管５７から原水水槽４０へ戻すようになっている。これにより、給水配管４９内の水圧を下げるとともに過圧分の貯水Ｗ１を原水水槽４０に戻して無駄なく使うようにしている。また、人力式ポンプシステム６には、一端にフランジ６１を有し他端に手元弁６２を有して原水水槽４０へ貯水Ｗ１を移送するためのホースなどの移送配管６０を配備してよい。そして、前記の人力式ポンプ４１はこの例では手動式であり、ポンプ本体４２と、ポンプ本体４２内のピストン（不図示）に連結された把手４３を有している。この人力式ポンプ４１は把手４３を操作してピストンを上下動させることにより貯水Ｗ１を吐出するようになっている。
【００３０】
尚、前記した蓄圧タンク５１、逆止弁５４、圧力逃し弁５８、定圧弁１６、４給水配管９、給水配管５３、払出し配管５７、接続口４８，５０，５５、およびこれらを設置した把手４７Ａ付きの第１収容箱４７から、図２に示すような給水補助ユニット４６が構成される。この給水補助ユニット４６の第１収容箱４７は、縦×横（寸法Ｍ（図２（ａ）））×高さが、例えば２００ｍｍ×２００ｍｍ×２５０ｍｍといったようにコンパクトである。このようにコンパクトで軽量な給水補助ユニット４６を用いると、緊急時はもとより家屋新築時にも大きな設置面積やスペースを取らずに済み、手軽に導入することができる。因みに、給水補助ユニット４６が常用貯水タンク７０（例えば直径Ｋ＝４４ｃｍ）の上面に置ける大きさとなるように、第１収容箱４７の縦寸法または横寸法が設定されている。
【００３１】
前記の蓄圧タンク５１は人力式ポンプ４１から吐出された貯水Ｗ１の水圧を蓄えるものであり、図３に示すように、縦長円筒状の密閉容器９１と、密閉容器９１内に配備されて密閉容器９１内を下部の空気室９４と上部の水室９５とに隔離するポリブテン系合成ゴム製で半球状の弾性隔膜９２と、密閉容器９１の上端部に設けられていて水室９５と給水配管５３とを連通する水出入口５２とを備えて構成されている。弾性隔膜９２は、ブタジエン系合成ゴム製で半球状に形成されており、その外周縁部が密閉容器９１の上下中央の接合部で一体にかしめられて密封固定されている。
【００３２】
逆浸透膜浄水器１４は、図４に示すように、本体ケーシング１５を基体として構成されている。本体ケーシング１５には、各カートリッジの取付け部１６Ａ，１６Ｂ，１６Ｃ，１６Ｄ（図６（ｂ）参照）がそれぞれ設けられている。これらの取付け部１６Ａ，１６Ｂ，１６Ｃ，１６Ｄには、水入り側から順に、セディメントフィルタカートリッジ１７、プレ活性炭フィルタカートリッジ１８、逆浸透膜フィルタカートリッジ１９、およびポスト活性炭フィルタカートリッジ２０が着脱可能に装着されるようになっている。これらのカートリッジ１７〜２０については、予備カートリッジ１７Ａ〜２０Ａが別途用意されており、緊急時であっても浄水性能を見ながら適時交換できるようになっている。また、逆浸透膜浄水器１４は、後で詳述する送水給停ユニット２１を有している。送水給停ユニット２１（例えばフローマチックス社製のＳ３０００Ｈシリーズ）は、４接続口を有する密閉容器のシリンダ８５を備えている。シリンダ８５内はダイヤフラム８４により第１水室８７と第２水室８６とに区画されている。ダイヤフラム８４は例えば合成ゴムなどで構成されている。
【００３３】
本体ケーシング１５の正面には、ケーシング内で取付け部１６Ａの水入側につながるとともに水入側配管１２Ａが接続される接続口６４と、ケーシング内で取付け部１６Ａの水出側と送水給停ユニット２１の第１水室８７をつなぐ処理水配管２２が接続される接続口６５と、第１水室８７の水出側からの処理水配管２３が接続されるとともにケーシング内で取付け部１６Ｂの水入側とつながる接続口６６と、ケーシング内で取付け部１６Ｃの水出側と送水給停ユニット２１の第２水室８６をつなぐ処理水配管２４が接続される接続口６７と、ケーシング内で取付け部１６Ｃの濃縮水出側とつながれて濃縮水配管２９が接続される接続口６８と、ケーシング内で取付け部１６Ｄの水出側と逆止弁３０および浄水コック３１をつなぐ浄水配管２８が接続される接続口６９と、が設けられている。尚、処理水配管２４から接続口６７に戻った１次処理水Ｗ２は、ケーシング内の流路を経て取付け部１６Ｄの水入側に導かれる。取付け部１６Ｂの水出側と取付け部１６Ｃの水入側とはケーシング内の流路（破線で表示）を介してつながっている。また、第２水室８６と処理水用貯留タンク２６の水出入口２７との間は処理水配管２５で連結されている。処理水用貯留タンク２６の内部構造は、既述した給水補助ユニット４６の蓄圧タンク５１とほとんど同じである。そして、処理水用貯留タンク２６内の１次処理水Ｗ２は、その貯水量が例えばタンク内容量の６５％になったときに相当する水圧に達すると、送水給停ユニット２１のダイヤフラム８４が大きく弾性変形して処理水配管２２の先端開口部８３を蓋止する。これにより、処理水配管２２内の水の流れを停止させて逆浸透膜フィルタカートリッジ１９による水浄化処理を止めるようになっている。
【００３４】
一方、緊急時浄水器作動装置１の水道水貯水システム５は、水道配管７の途中に分岐管７２を介して分岐接続された上流側の導水配管７１と、導水配管７１に連結された常用貯水タンク７０と、常用貯水タンク７０に連結されて下流側の水道配管７の途中に分岐管７４を介して合流接続された導水配管７３と、常用貯水タンク７０の最上部に配備された大気開放弁８１と、常用貯水タンク７０の底部に接続されていて水流出用開閉弁８０Ａを有する水流出用配管８０と、を備えて構成されている。前記した分岐管７２と分岐管７４の間の水道配管７には、常用貯水タンク７０の使用時に閉止される仕切弁７Ａが配備されている。この例では、常用貯水タンク７０は、逆浸透膜浄水器１４の利用者数が４人であるので、タンク満水量が例えば１５０Ｌに設定されており、設置面積を小さくするためにタンク高さは１９０ｃｍ程度と高くされていて直径Ｋは例えば４４ｃｍ程度である。すなわち、常用貯水タンク７０の満水量は、逆浸透膜浄水器１４の利用者１人に付き２５Ｌ以上５０Ｌ以下（４日分）に設定されている。
【００３５】
また、水道水貯水システム５は、常用貯水タンク７０の上流側の導水配管７１に配備された電磁弁７５と、常用貯水タンク７０の下流側の導水配管７３に配備された電磁弁７６と、所定震度（例えば震度５）以上の地震を感知したときに電磁弁７５，７６への通電を切電する感震センサ７９と、を備えている。前記の感震センサ７９と電磁弁７５，７６とは送電線７７，７８で配線接続されており、電磁弁７５，７６は通電により開弁し切電により閉弁する構成となっている。
【００３６】
上記のように構成された緊急時浄水器作動装置１を用いて浄水を製造する態様を次に説明する。
ここでは、例えば図５に示すようなステップＳ１〜Ｓ９が順次実施される。
先ず、通常時は汎用の水道給水システム２および浄水システム３がそのまま使用される（ステップＳ１）。このとき、水道水Ｗは必ず常用貯水タンク７０内を流通させておき常用貯水タンク７０内を常に満水にしておく（ステップＳ２）。
そのうち、例えば震度５以上の地震または停電が発生すると（ステップＳ３）、感震センサ７９がタンク水入側およびタンク水出側の電磁弁７５，７６への通電を自動的に停止し、電磁弁７５，７６の双方を全閉にさせる（ステップＳ４）。これにより、常用貯水タンク７０は密閉状態になって外部と遮断されるから、塵埃や細菌などの汚染物が貯水Ｗ１に混入することを防止できる。
そこで、利用者は、水流出用配管８０の先端をホースなどの移送配管６０のフランジ６１につないだのちに、常用貯水タンク７０の大気開放弁８１および水流出用開閉弁８０Ａを開き、更に移送配管６０の手元弁６２を開く。すると、常用貯水タンク７０の貯水Ｗ１はその自重により水流出用配管８０および移送配管６０を経て原水水槽４０へ移送される（ステップＳ５）。移送配管６０が無い場合は、常用貯水タンク７０の貯水Ｗ１を水流出用配管８０の先端からバケツなどで汲み取り、人力で原水水槽４０に運ぶようにしても構わない。
【００３７】
そして、利用者は、浄水器作動システム４の三方弁５９のレバーを操作して弁内流路を変え水合流接続ロ５９Ａと水入側配管１２Ａとを連通させる（ステップＳ６）。続いて、利用者は、人力式ポンプ４１の把手４３を操作して原水水槽４０の貯水Ｗ１を給水配管４５に吐出させる（ステップＳ７）。吐出された貯水Ｗ１の水圧は高い場合に１ＭＰａ・Ｇ以上になるが、さほど高くない場合は蓄圧タンク５１で蓄圧されたのちに定圧弁１６で降圧されて所定注水圧（予め設定された例えば０．４ＭＰａ・Ｇ）に調整される。そして、給水配管４９内の水圧が０．７ＭＰａ・Ｇ以上の場合は、圧力逃がし弁５８が自動的に開弁して給水配管４９内から一部の水Ｗ１を原水水槽４０へ戻す。すなわち、逆止弁５４、蓄圧タンク５１および定圧弁５５の作用により、いずれの場合でも貯水Ｗ１の水圧が所定注水圧に調整される（ステップＳ８）。そして、所定注水圧に調整された貯水Ｗ１は、給水配管５６から三方弁５９および水入側配管１２Ａを経て逆浸透膜浄水器１４に注入され、逆浸透膜フィルタカートリッジ１９その他を通過することにより清浄化されて浄水Ｗ３にされるのである（ステップＳ９）。
因みに、逆浸透膜浄水器１４に注入される水の水圧が１ＭＰａ・Ｇ以上の場合は、逆浸透膜フィルタカートリッジ１９の逆浸透圧膜が破壊されるおそれがある。一方で、注入水の水圧が０．７ＭＰａ・Ｇを下回るほど、得られる浄水Ｗ３の生成量は少なくなっていく。但し、前述のように注水圧０．４ＭＰａ・Ｇで逆浸透膜フィルタカートリッジ１９を通したにも拘わらず、得られた浄水Ｗ３の量は幾分少なくなっているが、問題になるほどではない。
【００３８】
そうして、上水道が復旧した後は、電磁弁７５，７６を開ける前に入口の水道配管７内の濁り水を排水しておく。この場合、水切り弁１１を開けて濁り水を放出し、入口の水道配管７内が透明な水道水に置き換わるまで放水を行なう。この場合、放水中の濁りの有無を目視で確認しながら濁りがなくなったときに、水切り弁１１を閉じ、感震センサ７９の復旧スイッチをＯＮにすることにより電磁弁７５，７６に通電して開弁し、常用貯水タンク７０の通常利用運転に戻す。このようにして、常用貯水タンク７０へ濁り水が流入することを防止できる。因みに、常用貯水タンク７０は、年に１回程度タンク内の貯水Ｗ１を水流出用開閉弁８０Ａから抜き出して空にし、タンク内洗浄を行なうことが望ましい。
尚、給水場の支給水、温水器内、防火水槽、プール、池、川などの外部水を、原水水槽４０に収容し貯水Ｗ１として用いることも可能である。その場合、逆浸透膜浄水器１４に注入する前に棕櫚ろ過器や砂ろ過器などを通過させて比較的大きな夾雑物を予め除去しておくことが肝要である。
【００３９】
上記したように、この実施形態の緊急時浄水器作動装置１によれば、地震などで電源供給が停止されたときでも、水道水貯水システム５の常用貯水タンク７０内に多量の貯水Ｗ１を確保できる。確保した貯水Ｗ１は通常時は水道水Ｗが常に流通しタンク内を循環して入れ替わっているので清浄かつ新鮮であり、逆浸透膜浄水器１４の原水や清浄な生活用水として使用することができる。更に、常用貯水タンク７０の容量は１５０Ｌに設定されているので、地震などで電源供給が停止された後でも、利用者４人のそれぞれが例えば４日分の浄水Ｗ３用原水および生活用水を確保できる。
一方で、浄水器作動システム４の蓄圧タンク５１、圧力逃がし弁５８および定圧弁１６の相乗作用により、高圧吐出になりやすい人力式ポンプ４１であっても、貯水Ｗ１を所定注水圧で安定して逆浸透膜浄水器１４に注入して一定の清浄度の浄水Ｗ３を得ることができる。また、蓄圧タンク５１は密閉容器９１と弾性隔膜９２を備えているので、吐出された貯水Ｗ１の水圧を弾性的に蓄圧することができる。
【００４０】
そして、上記の実施形態では、浄水器作動システム４の蓄圧タンク５１と浄水システム３の蓄圧タンク２６とを別々に配置したが、本発明はそれに限定されるものでない。例えば、図６に示すような組合せユニット８８も本発明に含まれる。この組合せユニット８８では、正面視で逆凹字状の架台部９０が基台部８９上に立設されている。基台部８９上には、浄水器作動システム４の蓄圧タンク５１と、浄水システム３の蓄圧タンク２６とが設置されている。架台部９０の横桟部には、浄水システム３の逆浸透膜浄水器１４が固定され、逆浸透膜浄水器１４の各取付け部１６Ａ〜１６Ｄに各フィルタカートリッジ１７〜２０がそれぞれ装着されている。架台部９０の側面には、三方弁５９が固設されている。そうして、これらの各部品は、基台部８９およびこの基台部８９に被せられる被い部８２から成る第２収容箱６３内に収容されている。この組合せユニット８８の第２収容箱６３は、横幅Ｌが例えば４４ｃｍ程度と比較的コンパクトで常用貯水タンク７０（例えば直径４４ｃｍ）の上面に置けるから、少しでもスペースを無駄にしたくない一般家庭用として好適である。
また、上記実施形態では、手押し式の人力式ポンプを例示したが、足踏み式ポンプその他の、人力で作動させるポンプであっても、適用可能である。
【００４１】
そして、本発明は、上記した実施の形態に限定されるものではなく、本発明の分野における通常の知識を有する者であれば想到し得る、各種変形、数値変更、材質変更、修正を含む、本発明の要旨を逸脱しない範囲の設計変更があっても、本発明に含まれることは勿論である。
【符号の説明】
【００４２】
１    緊急時浄水器作動装置
４    浄水器作動システム
５    水道水貯水システム
６    人力式ポンプシステム
７    水道配管
１２，１２Ａ  水入側配管
１４  逆浸透膜浄水器
１６  定圧弁
１９  逆浸透膜フィルタカートリッジ
２６  処理水用貯留タンク
３１  浄水コック
４０  原水水槽
４１  人力式ポンプ
４４  吐出口
４５，４９，５６  給水配管
４６  給水補助ユニット
４７  第１収容箱
５１  蓄圧タンク
５２  水出入口
５３  給水配管
５７  払出し配管
５８  圧力逃し弁
５９  三方弁
５９Ａ  水合流接続口
６３  第２収容箱
７０  常用貯水タンク
７１，７３  導水配管
７２，７４  分岐管
７５，７６  電磁弁
７９  感震センサ
８０  水流出用配管
８０Ａ  水流出用開閉弁
８１  大気開放弁
９１  密閉容器
９２  弾性隔膜
９３  膜保持部
９４  空気室
９５  水室
Ｓ２，Ｓ５，Ｓ７，Ｓ８，Ｓ９  ステップ
Ｗ１  貯水
Ｗ３  浄水
【図１】
2019107629.tif 000003
【図２】
2019107629.tif 000004
【図３】
2019107629.tif 000005
【図４】
2019107629.tif 000006
【図５】
2019107629.tif 000007
【図６】
2019107629.tif 000008